(57)【特許請求の範囲】
【請求項１】
水平部とトリッパ部とを有するベルトコンベアのベルト脱落防止方法であって、
前記水平部と前記トリッパ部の境界の前後の位置に、それぞれ押さえローラを設け、
前記押さえローラは、前記ベルトコンベアの搬送方向に回転可能で、回転軸方向の長さが前記ベルトコンベアの幅方向全体に亘り、前記ベルトコンベアの搬送側におけるベルトの上方に、高さ方向の位置が可変となるように設けられ、
前記ベルトコンベアが搬送物を搬送しているときには、前記押さえローラを前記ベルトの上方に退避させ、前記ベルト上に前記搬送物が載っていないときに、前記押さえローラによって、浮き上がったベルトを、前記搬送物を搬送している最中における前記ベルトの左右両端の高さの直上まで下ろすことを特徴とする、ベルトコンベアのベルト脱落防止方法。
【発明の詳細な説明】
【技術分野】
【０００１】
本発明は、ベルトコンベアのベルトの一部が搬送ローラから浮き上がってフレームから脱落するのを防止するためのベルト脱落防止方法に関し、主にベルトに搬送物が載っていないときのベルトの脱落を防止するものである。
【背景技術】
【０００２】
例えば船から下ろした製鉄用原料や燃料等の搬送物を、ベルトコンベアで搬送してヤード等に積み込んだり、ヤードに積まれた搬送物を地上に払い出す際に、スタッカやスタックリクレーマが用いられる。このような装置は、例えば特許文献１に記載されている。
【０００３】
スタッカに設けられたベルトコンベアには、水平に搬送物を搬送する地上コンベアに連続して、搬送物を斜め上方に持ち上げるトリッパ部が形成されている。
【０００４】
このようなトリッパ部を有するベルトコンベアのベルトには張力がかけられており、この張力によって、図３に示すように、ベルトコンベア１の水平部２からトリッパ部３への境界４の角度が１８０°よりも小さくなる搬送側のベルト６が、６ａとして示すように搬送ローラ７から浮き上がることがある。特に、搬送物がベルト６上に積載されていないときには、ベルト６を搬送ローラ７に向けて押さえ付ける力がないため、ベルトの張力の影響により浮き上がりやすい。さらに、強風時には、搬送ローラ７と浮き上がったベルト６ａの間に強風が吹き込み、ベルト６ａが振られて搬送ローラ７からベルト全体が外れ、ベルトコンベアのフレーム外に脱落する。その際に、搬送ローラ７やベルト６が破損することがある。このため、外れたベルト６ａを元の位置に戻すために、損傷部を修復したり、更には搬送ローラ７を交換することが必要になる場合もあり、メンテナンス性に問題があるうえ、作業効率が大幅に低下する。
【０００５】
そのため、従来、台風接近時等には、チェーンブロック等でベルト６を搬送ローラ７に固定していたが、極めて手間がかかるうえ、突然の強風には対応できなかった。また、チェーンブロックでは、ベルト６を損傷させることがあった。
【０００６】
また、例えば特許文献２には、ベルトコンベアのキャリアベルトの浮き上がりを防止するキャリア部と、リターンベルトの浮き上がりを防止するリターン部と、搬送物をキャリアベルトの中央に誘導する当て板部を有するベルトコンベア装置が開示されている。さらに、特許文献３には、ベルトの側方端部を押さえ付けるローラを設けることにより、ベルトのローリングや蛇行を防止することが開示されている。
【先行技術文献】
【特許文献】
【０００７】
【特許文献１】特開昭６０−２３６９３３号公報
【特許文献２】特開２００５−１３２５０７号公報
【特許文献３】特開２００７−１３７６７０号公報
【発明の概要】
【発明が解決しようとする課題】
【０００８】
ところが、特許文献２は、キャリアベルト及びリターンベルトを浮き上がり防止用の車輪で常に押さえ付けていることから、ベルトの摩耗が促進される。また、搬送物をキャリアベルトの中央に誘導する当て板部を有しているため、搬送物の積載量や幅寸法に制限があり、ベルトの輸送能力を低下させることがある。また、当て板部をキャリアベルトの形状に合わせているため、個々のベルトコンベアに合わせた形状に製作する必要がある。また、特許文献３は、水平方向にカーブしたベルトコンベアの蛇行を抑制するものであり、高さ方向に傾斜したベルトの浮き上がりは、十分に防止できない。
【０００９】
本発明の目的は、搬送時には搬送物を遮ることがなく、搬送物が積載されていないときに、ベルトが搬送ローラから外れてコンベアのフレーム外に脱落するのを防止するベルトコンベアのベルト脱落防止方法を提供することにある。
【課題を解決するための手段】
【００１２】
上記問題を解決するため、本発明は、水平部とトリッパ部とを有するベルトコンベアのベルト脱落防止方法であって、前記水平部と前記トリッパ部の境界の前後の位置に、それぞれ押さえローラを設け、前記押さえローラは、前記ベルトコンベアの搬送方向に回転可能で、回転軸方向の長さが前記ベルトコンベアの幅方向全体に亘り、前記ベルトコンベアの搬送側におけるベルトの上方に、高さ方向の位置が可変となるように設けられ、前記ベルトコンベアが搬送物を搬送しているときには、前記押さえローラを前記ベルトの上方に退避させ、前記ベルト上に前記搬送物が載っていないときに、前記押さえローラによって、浮き上がったベルトを、前記搬送物を搬送している最中における前記ベルトの左右両端の高さの直上まで下ろすことを特徴とする、ベルトコンベアのベルト脱落防止方法を提供する。
【発明の効果】
【００１３】
本発明によれば、ベルトコンベアのベルト上に搬送物が積載されていないときに、押さえローラによって、浮き上がったベルトを搬送ローラの直上まで下ろしておくことにより、ベルトが浮上してコンベアのフレーム外に脱落するのを防止することができる。しかも、搬送時には押さえローラを上方へ上げておくことにより、搬送物を遮らない。
【図面の簡単な説明】
【００１４】
【図１】本発明の実施の形態を示す側面図である。
【図２】図１のＡ−Ａ方向から見た正面図の拡大図である。
【図３】ベルトが浮き上がる様子を説明するベルトコンベアの概略側面図である。
【発明を実施するための形態】
【００１５】
以下、本発明の実施の形態を、図を参照して説明する。
【００１６】
図１は、本発明の実施の形態の一例を示す。トリッパ部３を有するベルトコンベア１の水平部２とトリッパ部３との境界４の前後に、それぞれベルト脱落防止装置５が設けられている。
【００１７】
ベルト脱落防止装置５は、押さえローラ１１、押さえローラ１１を支持するアーム１２、架台１３、および、押さえローラ１１を上下移動させる機構部２１を有する。
【００１８】
押さえローラ１１は、図２に示すように、回転軸１１ａ方向の長さが、ベルトコンベア１の幅方向全体とほぼ同じであり、ベルトコンベア１の搬送方向に回転可能である。押さえローラ１１の回転軸１１ａの両端は、アーム１２の先端部で支持されている。アーム１２の基端は、水平方向に延びるアーム支持材１４に固定されている。アーム支持材１４の一端は、ギア１５を介して機構部２１に接続されている。
【００１９】
図１および図２に示す機構部２１は、押さえローラ１１を上下移動させる機構の実施形態の一例である。鉛直方向の角度が可変となるように設置されたシリンダ２２の先端が、クランク２３に連結され、シリンダ２２の先端を伸縮させることにより、クランク２３が、回転軸２４を中心として回転する。クランク２３の回転軸２４は、ギア１５に連結され、クランク２３の回転がギア１５に伝達される。さらに、ギア１５を介してアーム支持材１４に回転が伝達される。これにより、クランク２３の回転に連動して、アーム支持材１４が回転し、アーム支持材１４の回転に伴い、図１に示すように、アーム１２がアーム支持材１４を中心として回転する。これにより、アーム１２の先端に支持された押さえローラ１１が円弧状に上下移動する。
【００２０】
ベルトコンベア１のベルト６は、通常、ばら物等の搬送物を脱落させずに搬送するために、図２に示すように中央部をへこませているが、押さえローラ１１は、ベルト６がコンベアフレームから脱落するのを防止すればよく、ベルト６の搬送時の形状に沿って押さえ付けなくてもよい。したがって、図２に示すように、押さえローラ１１を、搬送物の搬送が無くなってベルト６を停止した後、浮き上がったベルト６ａを搬送ローラ７の左右両端部の直上近傍、すなわち、搬送物を搬送している最中におけるベルト６の両端の高さよりも少し上方の位置まで押し下げておけば、十分にベルト６の脱落防止効果がある。そのため、ベルトコンベア毎に大きさや形状を変える必要がない。また、押さえローラ１１は、ベルトコンベア１の幅全体に亘る長さを有していることが好ましいが、ベルトコンベア１全体の幅と厳密に同寸法でなくても構わない。さらに、押さえローラ１１の位置を厳密に制御する必要もないので、簡易な機構で実施できる。
【００２１】
本発明の実施形態にかかるベルト脱落防止装置５は、押さえローラ１１をベルト６の直上まで下げたときの位置が、ベルトコンベア１の水平部２とトリッパ部３との境界４の前後になるように設置することが好ましい。図３に示すように、搬送物がベルト６上に積載されていないときには、６ａとして示すようにベルト６が浮き上がる場合があるが、押さえローラ１１で浮き上がったベルト６を押さえ付けることにより、図の６ｂで示すように浮き上がり部分が極めて少なくなり、強風等の影響でベルトがコンベアフレーム外に脱落するのを効果的に防止することができる。そして、ベルト脱落防止装置５は、ベルトコンベア１が搬送物を搬送しているときには、押さえローラ１１を上方に退避させ、搬送物が通過し終わったときや、ベルトコンベア１を稼働していないときに、ベルト６の直上まで下げておく。したがって、搬送時には、搬送物の通過を邪魔することがない。また、押さえローラ１１は、ベルトコンベア１の搬送方向に回転可能なので、ベルト６の端部に接触した状態でベルト６が前後方向（搬送方向）及び左右方向（ベルト幅方向）に動いても、ベルト６の移動を妨げたり、ベルト６を摩耗させたり傷付けたりすることがない。
【００２２】
なお、図３に示すように、トリッパ部３を有するベルトコンベア１は、ベルト６に張力がかけられていることにより、搬送側は図の６ａで示すようにベルトが浮き上がりやすいが、リターン側（下面側）のベルト６は張力がかけられた状態で搬送ローラ７から浮き上がることはないので、ベルト脱落防止装置５は、ベルトコンベア１の搬送側のみに設置すればよい。
【００２３】
図１の例では、ベルトコンベア１の水平部２とトリッパ部３との境界４の前後にそれぞれベルト脱落防止装置５を設けたが、トリッパ部３の立ち上がり直後に１個所だけ設けてもよい。ただし、図１に示すように２個所設けることにより、ベルト６が脱落したときにそれぞれの押さえローラ１１が負担する荷重が分散されるので、小型のベルト脱落防止装置５で十分な効果を得ることができる。
【００２４】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。例えば、押さえローラを上下移動させる方法は、シリンダおよびクランクによる機構には限らない。
【産業上の利用可能性】
【００２５】
本発明は、ベルトコンベアの未使用時や搬送物が通過し終わった部分のベルトの脱落防止方法として適用できる。
【符号の説明】
【００２６】
１    ベルトコンベア
２    水平部
３    トリッパ部
４    境界
５    ベルト脱落防止装置
６    ベルト
７    搬送ローラ
１１  押さえローラ
１２  アーム
１３  架台
１４  アーム支持材
１５  ギア
２２  シリンダ
２３  クランク
【図１】
0005488145.tif 000002
【図２】
0005488145.tif 000003
【図３】
0005488145.tif 000004